(57)【要約】【課題】口周りのフランジ部で何れの箇所からも開封することができる包装用容器を提供する。【解決手段】上方へ口を開けていて内容物を入れる収容部１１と、収容部１１の口のまわりに設けられ外側へ張り出したフランジ部１２と、を備えた包装用容器２であって、フランジ部１２は、口のまわり全体に亘って、上方を向いた蓋取付部１２１と、蓋取付部１２１より外側で蓋取付部１２１と上下方向に位置をずらして設けられていて広がる摘み部１２２と、を備えている。【選択図】図４
2019189260.tif 000002
【特許請求の範囲】
【請求項１】
上方へ口を開けていて内容物を入れる収容部と、上記収容部の口のまわりに設けられ外側へ張り出したフランジ部と、を備えた包装用容器であって、
上記フランジ部は、上記口のまわり全体に亘って、上方を向いた蓋取付部と、上記蓋取付部より外側で上記蓋取付部と上下方向に位置をずらして設けられていて広がる摘み部と、を備えていることを特徴とする、包装用容器。
【請求項２】
上記蓋取付部が内側から外側へ下がる斜面を構成していることを特徴とする、請求項１に記載の包装用容器。
【請求項３】
上記蓋取付部に剥離可能に取り付けられていて上記口を塞ぐ蓋部材をさらに備え、
上記蓋部材は上記蓋取付部全体から外側へ張り出す周縁部を備えていることを特徴とする、請求項１又は請求項２に記載の包装用容器。
【発明の詳細な説明】
【技術分野】
【０００１】
本発明は包装用容器の構造に関する。
【背景技術】
【０００２】
豆腐、漬物、ゼリー、ヨーグルトなどの食料品が水密に包装されて販売されている。この種の包装として、従来、例えばフィルム状の蓋部材を剥がして、内容物を取り出すことができる包装用容器が知られている。特許文献１に開示の包装用容器は、内容物を入れる容器本体と、容器本体の口にヒートシールされて取付けられたフィルム製の蓋部材と、を備えていて、トップシール型に構成されている。
【０００３】
特許文献２にもトップシール型の包装用容器が開示されており、この包装用容器では容器本体の口まわりに設けられるフランジ部の一部が大きく張り出して摘み部を構成し、蓋部材も一部が開封部として外側へ延びていて摘み部に重なるよう設けられている。包装用容器は、開封の際に摘み部上に設けられた開封部から蓋部材を剥がすように構成されている。
【先行技術文献】
【特許文献】
【０００４】
【特許文献１】特開２０１６−１６４０８４号公報
【特許文献２】特許第５３１３９４７号公報
【発明の概要】
【発明が解決しようとする課題】
【０００５】
特許文献２に記載の包装用容器のように、摘み部や開封部を容器本体の口のまわりの一部に設けたものでは、摘み部の位置に開封位置が制約されているため、開封の際に包装用容器の向きを蓋剥がし方向へ変える必要がある。そこで、包装用容器の向きに拠らずに、開封することができたら便利である。
【０００６】
そこで、本発明は、口周りのフランジ部で何れの箇所からも開封することができる包装用容器を提供することを目的とする。
【課題を解決するための手段】
【０００７】
本発明は、上方へ口を開けていて内容物を入れる収容部と、上記収容部の口のまわりに設けられ外側へ張り出したフランジ部と、を備えた包装用容器である。上記フランジ部は、上記口のまわり全体に亘って、上方を向いた蓋取付部と、上記蓋取付部より外側で上記蓋取付部と上下方向に位置をずらして設けられていて広がる摘み部と、を備えている。
【０００８】
本発明の包装用容器は、好ましくは、上記蓋取付部が内側から外側へ下がる斜面を構成している。また、本発明の包装用容器は、上記蓋取付部に剥離可能に取り付けられていて上記口を塞ぐ蓋部材をさらに備えて、上記蓋部材が上記蓋取付部全体から外側へ張り出す周縁部を備えている。
【発明の効果】
【０００９】
本発明によれば、口のまわりの全体に摘み部を設けているので、周縁のどこからでも開封することができる。
【図面の簡単な説明】
【００１０】
【図１】（ａ）は本発明の第１実施形態の包装用容器を示す正面図であり、（ｂ）は本発明の第１実施形態の包装用容器を示す左側面図であり、（ｃ）は本発明の第１実施形態の包装用容器を示す平面図である。
【図２】（ａ）は図１（ａ）のＡ１−Ａ１線に沿った包装用容器の断面図であり、（ｂ）は図１（ｂ）のＡ２−Ａ２線に沿った包装用容器の断面図である。
【図３】（ａ）と（ｂ）は図１の包装用容器の蓋をした状態での部分断面図である。
【図４】（ａ）は本発明の第２実施形態の包装用容器を示す正面図であり、（ｂ）は本発明の第２実施形態の包装用容器を示す平面図である。
【図５】図４（ａ）のＡ３−Ａ３線に沿った包装用容器の断面図である。
【図６】（ａ）は本発明の実施例の包装用容器を示す正面図であり、（ｂ）は本発明の実施例の包装用容器を示す平面図であり、（ｃ）は（ａ）のＡ４−Ａ４線に沿った包装用容器の断面図である。
【図７】（ａ）は図６の包装用容器を用いた料理セットを示す平面図であり、（ｂ）は（ａ）のＡ５−Ａ５線に沿った料理セットの断面図である。
【発明を実施するための形態】
【００１１】
（第１実施形態）
図１は本発明の第１実施形態の包装用容器１を示す図で、（ａ）が正面図であり、（ｂ）が左側面図であり、（ｃ）が平面図である。包装用容器１は、上方へ口１１Ａを開けていて内容物を入れる収容部１１と、収容部１１の口１１Ａのまわりに設けられた鍔状のフランジ部（以下、本体フランジ部１２と呼ぶ。）と、を備えている。
【００１２】
図２（ａ）は図１（ａ）のＡ１−Ａ１線に沿った包装用容器１の断面図であり、図２（ｂ）は図１（ｂ）のＡ２−Ａ２線に沿った包装用容器１の断面図である。収容部１１は、底部１１１と、底部１１１の周縁から立ち上がった側面部１１２と、を備えていて、側面部１１２が上端の高さを揃えて口１１Ａを構成している。
【００１３】
本体フランジ部１２は側面部１１２の上端から外側へ張り出している。本体フランジ部１２は、口１１Ａのまわりの全体に亘って、口１１Ａに隣接して設けられる蓋取付部１２１と、この蓋取付部１２１より外側でさらに上下方向に位置をずらして設けられる摘み部１２２と、蓋取付部１２１と摘み部１２２との間に設けられる段差形成部１２３と、を備えている。
【００１４】
蓋取付部１２１は上方を向いた取付面１２１Ａを有し、図示例では平坦に形成されている。段差形成部１２３は、蓋取付部１２１の周縁から下方へ延びて形成されていて下端が、それぞれ口１１Ａまわりのいずれの箇所で同じ高さ位置に設定されている。
【００１５】
摘み部１２２は、段差形成部１２３の下端から外側へ広がって形成されており、蓋取付部１２１の取付面１２１Ａより低い位置に保持されている。摘み部１２２の外側の端が、包装用容器１の縁を構成し、平面視で輪郭を構成する。
【００１６】
摘み部１２２の幅Ｗ、つまり外側へ突出する長さは、例えば３ｍｍから１５ｍｍであり、好ましくは５ｍｍから１０ｍｍである。図示の摘み部１２２は上面と下面とが平滑に形成されているが、摘み部１２２の一部の領域を、例えば溝や窪みなどのエンボスを設けて凹凸面に形成してもよい。包装用容器１の縁も、周方向に高さを変えて凹凸状に形成されてもよい。
【００１７】
包装用容器１の材料は限定されるものではないが、ポリオレフィン系樹脂，ポリエステル系樹脂やポリスチレン系樹脂を利用することができる。本実施形態の包装用容器１は、ＰＥＴ，ＰＰ，ＰＳ等の樹脂製のシート材を成型で熱変形させて製造され、さらに全体を透明に構成されているが、包装用容器１は、透光性を有したり、不透明に構成してもよい。図示例の包装用容器１では、各部が平たく構成されており、厚みは特に限定されるものではないが０．０５ｍｍ〜１．０ｍｍであり、好ましくは０．１ｍｍ〜０．５ｍｍであり、さらに望ましくは０．２ｍｍ〜０．３５ｍｍである。また、包装用容器１は、ポリスチレンペーパー（ＰＳＰ）を用いた発泡体として、各部が肉厚に構成されてもよい。
【００１８】
包装用容器１はガスバリア層を備えていてもよい。こうした構成によれば、後述するガス置換包装を行うことにより、食料品の保存期間の長期化を実現できることが期待される。ここで、ガスバリア層としては、例えば、酸素ガス、水蒸気ガス、二酸化炭素ガスといった気体の透過性が低ければ特に制限はないが、具体的には、ＪＩＳ  Ｋ  ７１２６による酸素透過度が２５μｍ厚みで１０００ｍｌ／ｍ２・２４ｈｒ・ＭＰａ（２０℃で７５％ＲＨ）以下の樹脂であってもよく、例えばエチレン−ビニルアルコール共重合体（ＥＶＯＨ）、ポリアミド−６（ＰＡ６）であってもよい。また、ガスバリア層の厚みは１〜２５μｍであってもよいし、２〜１５μｍであってもよい。
【００１９】
包装用容器１は、本体フランジ部１２の蓋取付部１２１に剥離可能に取り付けられて口１１Ａを塞ぐ蓋部材２０をさらに備えて構成することができる。以下、収容部１１と本体フランジ部１２とで成り蓋部材２０を取り付ける対象を、容器本体１０と呼ぶ場合がある。図３の（ａ）と（ｂ）はそれぞれ蓋をした包装用容器１の部分断面図である。
【００２０】
蓋部材２０の材料は限定されるものではないが、容器本体１０を構成する樹脂材と同系統のものを利用することができる。また、蓋部材２０や容器本体１０は多層の樹脂シート用いて耐熱、ガスバリアやその他の機能を加えて構成してもよい。
【００２１】
蓋部材２０はガスバリア層を備えていてもよい。こうした構成によれば、後述するガス置換包装を行うことにより、食料品の保存期間の長期化を実現できることが期待される。ここで、ガスバリア層としては、例えば、酸素ガス、水蒸気ガス、二酸化炭素ガスといった気体の透過性が低ければ特に制限はないが、具体的には、ＪＩＳ  Ｋ  ７１２６による酸素透過度が２５μｍ厚みで１０００ｍｌ／ｍ２・２４ｈｒ・ＭＰａ（２０℃で７５％ＲＨ）以下の樹脂であってもよく、例えばエチレン−ビニルアルコール共重合体（ＥＶＯＨ）、ポリアミド−６（ＰＡ６）であってもよい。また、ガスバリア層の厚みは１〜２５μｍであってもよいし、２〜１５μｍであってもよい。
【００２２】
図３（ａ）はフィルム状の蓋部材２０を取り付けた包装用容器１の部分断面図であり、蓋部材２０を一点鎖線で表している。蓋部材２０は、蓋取付部１２１の取付面１２１Ａにヒートシールで密着する固定領域と、固定領域より外側に設けられ摘み部１２２に被さる非固定領域と、を備える。
【００２３】
図３（ｂ）は成形品として構成された蓋部材２０を取り付けた包装用容器１の部分断面図であり、蓋部材２０を一点鎖線で表している。蓋部材２０は、本体フランジ部１２に重なる蓋フランジ部２１を備えている。蓋フランジ部２１は、蓋取付部１２１の取付面１２１Ａにヒートシールで密着する固定領域と、固定領域の外側に設けられて摘み部１２２に被さる非固定領域と、を備えている。蓋部材２０の平面視での輪郭を構成する非固定領域を、以下、周縁部２１１と呼ぶ。
【００２４】
（使用方法：食料品の包装）
包装装置に設けられた窪み状の受け部に予め製造した容器本体１０をセットし、充填機で内容物としての食料品を収容部１１に入れる。次に、ロールから引き出した蓋部材２０用のフィルムを容器本体１０に被せて、シール型で蓋取付部１２１とこれに重なるフィルムとを加熱して融着させる。最後にフィルムの余剰の部分を裁断機で切除して、食料品の包装が完成する。
【００２５】
また、食料品を収容部１１に入れたあとに、収容部に不活性ガスを充填することによりガス置換包装を行ってもよい。こうした構成によれば、食料品の保存期間の長期化を実現できることが期待される。
【００２６】
このように包装用容器１に蓋をすることで、食料品を水密に包装することができる。蓋をした状態では、口１１Ａまわりの全体に亘って、蓋部材２０の周縁部２１１が、開封部として、本体フランジ部１２の蓋取付部１２１から張り出している。
【００２７】
口１１Ａを開ける際には、包装用容器１の本体フランジ部１２のいずれか一箇所で、一方の手で蓋部材２０の周縁部２１１をめくり、これによって外に現れる摘み部１２２を他方の手でつまんで、容器本体１０を押さえたまま蓋部材２０を剥がす。
【００２８】
包装用容器１によれば、口１１Ａのまわりの何れの箇所でも摘み部１２２が設けられていることで、容器本体１０のどの方向からも蓋部材２０を取り外すことができる。
【００２９】
（第２実施形態）
図４は本発明の第２実施形態の包装用容器２を示す図で、（ａ）が正面図であり、（ｂ）が平面図である。なお、左側面図、右側面図と背面図は、正面図と同一に表れる。包装用容器２は、第１実施形態の包装用容器１と同様に、上方へ口１１Ａを開けていて内容物を入れる収容部１１と、収容部１１の口１１Ａのまわりに設けられた鍔状の本体フランジ部１２と、を備えているが、口１１Ａ、口１１Ａまわりに設けられる本体フランジ部１２などの容器本体１０を構成する各部において、平面視でそれぞれの領域を規定する端がそれぞれ円を成し、またそれらが同心円として配置されている点で、第１実施形態の包装用容器１と異なる。なお、図４（ｂ）では、包装用容器２の仮想の中心Ｃ１を点で表している。
【００３０】
図５は図４（ａ）のＡ３−Ａ３線に沿った包装用容器２の断面図であり、収容部１１は、底部１１１と、底部１１１の周縁から立ち上がった側面部１１２と、を備えていて、側面部１１２が上端の高さを揃えて口１１Ａを構成している。収容部１１は、底部１１１が円形に広がり、また側面部１１２の異なる高さ位置で水平に切った断面の形状が円を成すと共にそれらの円が平面視で同心円として配置されている。
【００３１】
本体フランジ部１２は側面部１１２の上端から外側へ延びて形成されている。本体フランジ部１２は、口１１Ａに隣接して設けられるリング状の蓋取付部１２１と、この蓋取付部１２１より外側に設けられていて蓋取付部１２１より大きなリング状の摘み部１２２と、蓋取付部１２１と摘み部１２２との間に設けられた段差形成部１２３と、を備えている。
【００３２】
蓋取付部１２１は上方を向いた取付面１２１Ａを有し、取付面１２１Ａは内側から外側へ下がる斜面に形成されている。斜面（取付面１２１Ａ）は、口１１Ａ側の上端と摘み部１２２側の下端とがそれぞれ口１１Ａのまわりのいずれの箇所で同じ高さ位置に設定されていて、外側の端が成す外周円と、内側の端が成す内周円との幅Ｗ１′が口１１Ａのまわりの何れの箇所でも同じ寸法に設定されている。幅Ｗ１′は例えば３ｍｍから１５ｍｍであり、好ましくは５ｍｍから１０ｍｍである。また、取付面１２１Ａは、好ましくはテーパーに形成されていて、平面視で中心Ｃ１から径方向に延びた仮想線に沿った部分での勾配が口１１Ａまわりのいずれの箇所でも同じに設定されている。なお、図４（ｂ）では、説明の便宜上、一方向の仮想線Ｌ１を一転鎖線で表している。
【００３３】
段差形成部１２３は、蓋取付部１２１の周縁から下方へ延びて形成されており、外側を臨む急峻な外周面を有する。外周面は、上端と、上端より外側へずらして配置される下端とが、それぞれ口１１Ａまわりのいずれの箇所で同じ高さ位置に設定されている。
【００３４】
摘み部１２２は、外側の端が成す外周円と、内側の端が成す内周円との幅Ｗ２′が口１１Ａのまわりの何れの箇所でも同じ寸法に設定されている。幅Ｗ２′は例えば３ｍｍから１５ｍｍであり、好ましくは５ｍｍから１０ｍｍである。また、摘み部１２２は、図４（ｂ）の平面図で摘み部１２２の内、ハッチングを付した一部の領域が、例えば溝や窪みなどのエンボスを設けて凹凸面に形成されている。こうした凹凸面により、消費者が蓋を剥がす際に、包装用容器２の摘み部をつまんだときに滑りにくくなり、安定した開封性を実現することが期待される。
【００３５】
（使用方法：食料品の包装）
包装用容器２は、第１実施形態の包装用容器１と同様に、蓋をすることで食料品を水密に包装することができる。食料品を取り出す際等、開封は、包装用容器２の本体フランジ部１２のいずれか一箇所で、一方の手で蓋部材２０の周縁部２１１をめくり、これによって外に現れる摘み部１２２を他方の手でつまんで、容器本体１０を押さえたまま蓋部材２０を剥がす。
【００３６】
包装用容器２によれば、第１実施形態の包装用容器１と同様に、口１１Ａまわりの何れの箇所でも摘み部１２２が設けられていることで、容器本体１０のどの方向からも蓋部材２０を取り外すことができる。
【００３７】
さらに、第２実施形態では、平面視で中心Ｃ１を基準とした同心円として配置された各部分が連なって容器本体１０を構成しているため、内容物を入れて蓋をする包装工程で、容器本体１０はその向きに関係なく包装装置の受け部に入れることができる。摘み部や開封部を一部に設けた従来の包装用容器では、容器本体の摘み部を蓋の開封部に合わせることが必要であり、このような煩雑な作業を第２実施形態の包装用容器２は解消することができる。また、包装用容器２は、第１実施形態の包装用容器１と比べて、開封時の容器本体１０の変形を抑え、また口１１Ａのまわりのどこからでも口１１Ａの中心Ｃ１へ向けて同じような力で容易に開封することができる。
【００３８】
（実施例）
図６は本発明の実施例の包装用容器３を示す図で、（ａ）が正面図であり、（ｂ）が平面図であり、（ｃ）が（ａ）のＡ４−Ａ４線に沿った断面図である。包装用容器３は、第２実施形態の容器本体１０と、容器本体１０に剥離可能に取り付けられた蓋部材２０と、で構成されていて、内容物として豆腐５０を入れている。蓋部材２０は、透明なプラスチックフィルムであり、その周縁部２１１が平面視で本体フランジ部１２よりも外側に広がって、開封部を構成している。
【００３９】
図７は本発明の実施例の包装用容器３を他の食料品や調理用容器３２０と併せて包装して成る料理セット３００を示す図で、（ａ）が平面図であり、（ｂ）が（ａ）のＡ５−Ａ５線に沿った断面図である。
【００４０】
料理セット３００は、豆腐を入れた包装用容器３と、スープを入れたパウチ状のパック３１０と、豆腐とスープを混ぜて入れる調理用容器３２０と、を包装袋３３０に収容している。なお、図７（ａ）で包装袋３３０を二点鎖線で表し中身を透視して表している。
【００４１】
調理用容器３２０は、プラスチック製で耐熱性を持たせて構成されており、実施例の包装用容器３より大きく形成されている。包装袋３３０の中では、大型の調理用容器３２０の底に実施例の包装用容器３を置き、さらにスープのパック３１０が積み重なるよう入れられている。調理の際には、それぞれを包装袋３３０から取り出し、豆腐とスープを調理用容器３２０に移して電子レンジで加熱して調理する。
【００４２】
商品（調理セット２００）を購入した顧客は、包装用容器３を容易に開封して、調理を行うことができる。
【００４３】
本発明は、上記の実施形態に限定されるものではない。例えば、本発明は、底の浅いトレー型に形成したり、口１１Ａや本体フランジ部１２を楕円型や多角形型に形成したり、寸法や形状を変えることもできる。また、本発明は本体フランジ部１０における蓋取付部１２１と摘み部１２２の上下方向の並びを逆にして構成することもできる。
【符号の説明】
【００４４】
１，２，３  包装用容器
１０        容器本体
１１        収容部
１１Ａ      口
１１１      底部
１１２      側面部
１２        本体フランジ部
１２１      蓋取付部
１２１Ａ    取付面
１２２      摘み部
１２３      段差形成部
２０        蓋部材
２１        蓋フランジ部
２１１      周縁部
３００      料理セット
３１０      パック
３２０      調理用容器
３３０      包装袋
【図１】
2019189260.tif 000003
【図２】
2019189260.tif 000004
【図３】
2019189260.tif 000005
【図４】
2019189260.tif 000006
【図５】
2019189260.tif 000007
【図６】
2019189260.tif 000008
【図７】
2019189260.tif 000009